(57)【要約】【課題】装着後における緩みの発生を防止するとともに、滑らかな装着が可能なレンズ鏡筒、レンズアクセサリ、およびこれらを備えたレンズユニットを提供する。【解決手段】レンズ鏡筒１１は、円筒状の本体部、複数の爪部２１、Ｏリング２２を備えている。複数の爪部２１は、被写体側の端部において円周方向に沿って配置され、レンズの光軸方向に垂直な当接面２１ａａにおいてフード１２側に設けられた複数の係止部３１と当接する。Ｏリング２２は、フード１２側に設けられた複数の係止部３１を光軸方向に押圧する。爪部２１は、平坦部２１ａを有している。平坦部２１ａは、円周方向に沿って配置され、Ｏリング２２による押圧によって光軸方向に略垂直な面において係止部３１と当接する。【選択図】図６
2017078726.tif 000002
【特許請求の範囲】
【請求項１】
複数の爪部と複数の係止部とを組み合わせたバヨネット式の装着方法によってレンズアクセサリが装着されるレンズ鏡筒であって、
内部に複数のレンズを有する円筒状の本体部と、
前記本体部における被写体側の端部において前記円筒状の本体部の円周方向に沿って配置され、前記レンズの光軸方向に垂直な面において前記レンズアクセサリ側に設けられた複数の係止部と当接する複数の爪部と、
前記本体部における前記端部に設けられており、前記レンズアクセサリ側に設けられた複数の係止部を、直接的あるいは間接的に、前記レンズの光軸方向に押圧する弾性部材と、
を備え、
前記爪部は、前記円周方向に沿って配置され、前記弾性部材による押圧によって前記レンズの光軸方向に略垂直な面において前記係止部と当接する平坦部を有している、
レンズ鏡筒。
【請求項２】
前記爪部は、前記係止部が挿入される側の端部に形成されており、前記係止部が前記円周方向に沿って回転移動する際に前記係止部を前記爪部と前記弾性部材との間の隙間に誘導する傾斜部を、さらに有している、
請求項１に記載のレンズ鏡筒。
【請求項３】
前記傾斜部は、前記平坦部の端部に形成されたテーパ状の部分に形成されている、
請求項２に記載のレンズ鏡筒。
【請求項４】
前記弾性部材は、前記円周方向に沿って複数配置されている、
請求項１から３のいずれか１項に記載のレンズ鏡筒。
【請求項５】
前記弾性部材は、前記円周方向において全周に亘って設けられている、
請求項１から３のいずれか１項に記載のレンズ鏡筒。
【請求項６】
複数の爪部と複数の係止部とを組み合わせたバヨネット式の装着方法によってレンズ鏡筒に装着されるレンズアクセサリであって、
円筒状の本体部と、
前記本体部における前記レンズ鏡筒への装着側の端部において前記円筒状の本体部の円周方向に沿って配置され、前記レンズの光軸方向に垂直な面において前記レンズ鏡筒側に設けられた係止部と当接する複数の爪部と、
前記本体部における前記端部に設けられており、前記レンズ鏡筒側に設けられた係止部を、直接的あるいは間接的に、前記レンズの光軸方向に押圧する弾性部材と、
を備え、
前記爪部は、前記円周方向に沿って配置され、前記弾性部材による押圧によって前記レンズの光軸方向に略垂直な面において前記係止部と当接する平坦部を有している、
レンズアクセサリ。
【請求項７】
前記爪部は、前記係止部が挿入される側の端部に形成されており、前記係止部が前記円周方向に沿って移動する際に前記係止部を前記爪部と前記弾性部材との間の隙間に誘導する傾斜部を有している、
請求項６に記載のレンズアクセサリ。
【請求項８】
前記傾斜部は、前記平坦部の端部に形成されたテーパ部に形成されている、
請求項７に記載のレンズアクセサリ。
【請求項９】
前記弾性部材は、前記円周方向に沿って複数配置されている、
請求項６から８のいずれか１項に記載のレンズアクセサリ。
【請求項１０】
前記弾性部材は、前記円周方向において全周に亘って設けられている、
請求項６から８のいずれか１項に記載のレンズアクセサリ。
【請求項１１】
請求項１から５のいずれか１項に記載のレンズ鏡筒と、
前記レンズ鏡筒の被写体側の端部に装着されるとともに、前記係止部を有するレンズアクセサリと、
を備えたレンズユニット。
【請求項１２】
請求項６から１０のいずれか１項に記載のレンズアクセサリと、
前記レンズアクセサリの装着側の端部が装着されるとともに、前記係止部を有するレンズ鏡筒と、
を備えたレンズユニット。
【発明の詳細な説明】
【技術分野】
【０００１】
本開示は、バヨネット式の装着方法によってレンズアクセサリが装着されるレンズ鏡筒、レンズアクセサリ、およびこれらを備えたレンズユニットに関する。
【背景技術】
【０００２】
近年、デジタル一眼レフカメラの普及に伴って、交換レンズに装着されるフードやキャップ等のレンズアクセサリが用いられている。
例えば、特許文献１には、第１のバヨネット爪を有するレンズ鏡筒と該第１のバヨネット爪と重合可能な第２のバヨネット爪を有するフードによって構成されるバヨネット構造を有するフード取付け装置において、レンズ鏡筒およびフードの少なくともどちらか一方に光軸方向に付勢する付勢部材が設けられたフード取付け装置について開示されている。この装置では、レンズ鏡筒およびフードの少なくともどちらか一方に光軸方向に突出する回転係止部が設けられており、他方に突部が第１および第２のバヨネット爪が重合する位置で係合する光軸方向に窪んだ回転係止受部がさらに設けられている。
【０００３】
これにより、フード装着時にレンズ鏡筒に対してフードが固定され、かつ取り外し操作を容易に行うことができる。
【先行技術文献】
【特許文献】
【０００４】
【特許文献１】特開平７−１５９８５８号公報
【発明の概要】
【発明が解決しようとする課題】
【０００５】
しかしながら、上記従来のフード取付け装置では、以下に示すような問題点を有している。
すなわち、上記公報に開示されたフード取付け装置では、レンズ鏡筒に設けられた付勢部材によってフードが光軸方向に付勢されながら、フード側の回転係止部が、レンズ鏡筒のバヨネット爪を乗り越え、レンズ鏡筒の回転係止受部に係合した際に装着動作が完了するように構成されている。
【０００６】
このため、回転係止部がバヨネット爪を乗り越える際に大きなトルクが必要となり、スムーズに装着できるとは言い難い。
一方、回転係止部と回転係止受部との係合機構をなくしてしまった場合、使用中に緩みが生じる等の問題が生じるおそれがある。
本開示の課題は、装着後における緩みの発生を防止するとともに、滑らかな装着が可能なレンズ鏡筒、レンズアクセサリ、およびこれらを備えたレンズユニットを提供することにある。
【課題を解決するための手段】
【０００７】
第１の開示に係るレンズ鏡筒は、複数の爪部と複数の係止部とを組み合わせたバヨネット式の装着方法によってレンズアクセサリが装着されるレンズ鏡筒であって、円筒状の本体部と、複数の爪部と、弾性部材と、を備えている。円筒状の本体部は、内部に複数のレンズを有する。複数の爪部は、本体部における被写体側の端部において円筒状の本体部の円周方向に沿って配置され、レンズの光軸方向に垂直な面においてレンズアクセサリ側に設けられた複数の係止部と当接する。弾性部材は、本体部における端部に設けられており、レンズアクセサリ側に設けられた複数の係止部を、直接的あるいは間接的に、レンズの光軸方向に押圧する。爪部は、平坦部を有している。平坦部は、円周方向に沿って配置され、弾性部材による押圧によってレンズの光軸方向に略垂直な面において係止部と当接する。
【０００８】
第２の開示に係るレンズアクセサリは、複数の爪部と複数の係止部とを組み合わせたバヨネット式の装着方法によってレンズ鏡筒に装着されるレンズアクセサリであって、円筒状の本体部と、複数の爪部と、弾性部材と、を備えている。複数の爪部は、本体部におけるレンズ鏡筒への装着側の端部において円筒状の本体部の円周方向に沿って配置され、レンズの光軸方向に垂直な面においてレンズ鏡筒側に設けられた係止部と当接する。弾性部材は、本体部における端部に設けられており、レンズ鏡筒側に設けられた係止部を、直接的あるいは間接的に、レンズの光軸方向に押圧する。爪部は、平坦部を有している。平坦部は、円周方向に沿って配置され、弾性部材による押圧によってレンズの光軸方向に略垂直な面において係止部と当接する。
【発明の効果】
【０００９】
本開示に係るレンズ鏡筒、レンズアクセサリおよびこれらを備えたレンズユニットによれば、装着後における緩みの発生を防止するとともに、滑らかな装着が可能となる。
【図面の簡単な説明】
【００１０】
【図１】（ａ），（ｂ）は、本開示の一実施形態に係るフードが装着されたレンズ鏡筒の構成を示す斜視図。
【図２】（ａ），（ｂ）は、図１のフードとレンズ鏡筒とを分離した状態を示す斜視図。
【図３】（ａ）は、図１のフードとレンズ鏡筒とを分離した状態を示す側面図。（ｂ）は、（ａ）のＡ−Ａ線矢視断面図。（ｃ）は、（ａ）のＢ−Ｂ線矢視断面図。
【図４】（ａ）は、図１のフードとレンズ鏡筒とを分離した状態を示す側面図。（ｂ）は、（ａ）のＣ−Ｃ線矢視断面図。
【図５】（ａ）は、図１のフードをレンズ鏡筒に装着した状態を示す側面図。（ｂ）は、（ａ）のＤ−Ｄ線矢視断面図。
【図６】図５（ｂ）のＸ部分の拡大図。
【図７】（ａ）〜（ｅ）は、図１のフードをレンズ鏡筒に装着する際の両部品の周方向における位置関係を示す展開図。（ｆ）は、（ａ）〜（ｅ）の位置関係に対応するフードを回転させる際のトルクの大きさを示すグラフ。
【図８】（ａ）は、本開示の他の実施形態に係るレンズ鏡筒に装着されたフードの構成を示す平面図。（ｂ）は、（ａ）のＥ−Ｅ線矢視断面図。（ｃ）は、（ａ）のＦ−Ｆ線矢視断面図。
【図９】図８（ｃ）のレンズ鏡筒に対してフードを装着した状態を示す拡大断面図。
【図１０】本開示の他の実施形態に係るレンズ鏡筒に装着されるフードの構成を示す分解斜視図。
【図１１】（ａ）は、図９のフードの構成を示す平面図。（ｂ）は、（ａ）のＧ−Ｇ線矢視断面図。（ｃ）は、（ａ）のＨ−Ｈ線矢視断面図。
【図１２】図１１（ｃ）のレンズ鏡筒に対してフードを装着した状態を示す拡大断面図。
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、出願人は、当業者が本開示を十分に理解するために添付図面および以下の説明を提供するのであって、これらによって特許請求の範囲に記載の主題を限定することを意図するものではない。
【００１２】
（実施形態１）
本開示の一実施形態に係るレンズ鏡筒１１およびこれを備えたレンズユニット１０について、図１（ａ）〜図７（ｆ）を用いて説明すれば以下の通りである。
【００１３】
（レンズユニット１０）
本実施形態のレンズユニット１０は、図１（ａ）から図２（ｂ）に示すように、フード（レンズアクセサリの一種）１２が、レンズ鏡筒１１に対してバヨネット接合部１３を介して装着されている。
すなわち、レンズユニット１０は、カメラ本体側のレンズマウント（図示せず）に対して装着される交換可能なレンズ鏡筒１１と、レンズ鏡筒１１に対して着脱可能なフード１２とを備えている。
また、バヨネット接合部１３は、図２（ａ）および図２（ｂ）に示すように、レンズ鏡筒１１およびフード１２が互いに装着される側の端部に設けられており、レンズ鏡筒１１またはフード１２側に設けられた複数の爪部と複数の係止部とを組み合わせて構成されている。これにより、バヨネット式の装着方法によって、フード１２等のレンズアクセサリをレンズ鏡筒１１に対して装着することができる。
【００１４】
（レンズ鏡筒１１）
本実施形態に係るレンズ鏡筒１１は、円筒状の本体部の内部に、被写体の光学像（以下、被写体象ともいう）を形成するための複数のレンズを含む光学系を収容している。
また、レンズ鏡筒１１は、図３（ａ）に示すように、レンズの光軸方向におけるフード１２が装着される側（被写体側）の端部の外周面１１ａに、バヨネット接合部１３を構成する複数の爪部２１（図３（ｂ）参照）、Ｏリング（弾性部材）２２が設けられている。
【００１５】
爪部２１は、レンズ鏡筒１１の外周面１１ａから径方向外側に向けて突出するように形成された部分であって、図３（ｂ）に示すように、周方向に沿ってほぼ等間隔で３箇所に設けられている。また、爪部２１は、図４（ａ）および図４（ｂ）に示すように、レンズ鏡筒１１における被写体側の端部に設けられている。
また、爪部２１は、フード１２側に形成された係止部３１（図４（ｂ）参照）とともに、フード１２をレンズ鏡筒１１における被写体側の端部に装着されるバヨネット接合部１３を構成する。
【００１６】
具体的には、フード１２をレンズ鏡筒１１に装着する際には、まず、周方向において互いに隣接配置された爪部２１，２１の間の隙間に、フード１２側の係止部３１が挿入される。そして、光軸方向において係止部３１が爪部２１，２１の間を通過して行き過ぎた状態とし、フード１２をレンズ鏡筒１１に対して周方向に回転させることで、図５（ａ）および図５（ｂ）に示すように、爪部２１と係止部３１とが光軸方向において互いに当接する位置に配置される。
【００１７】
これにより、フード１２側の係止部３１が、図６に示すように、レンズ鏡筒１１側の爪部２１に係止されるため、フード１２がレンズ鏡筒１１から外れないように保持される。なお、レンズ鏡筒１１に対してフード１２を装着する際の動作については、後段にて詳述する。
さらに、爪部２１は、図７（ａ）等に示すように、円筒状のレンズ鏡筒１１の径方向から見て略台形形状を有しており、平坦部２１ａと、テーパ部２１ｂとを有している。
【００１８】
平坦部２１ａは、図７（ａ）に示すように、レンズ鏡筒１１における被写体側とは反対側に、光軸方向に垂直な平面（当接面２１ａａ）を有している。レンズ鏡筒１１に対してフード１２が装着された状態では、当接面２１ａａにおいて、フード１２側の係止部３１の当接面３１ａと当接する。
テーパ部２１ｂは、レンズ鏡筒１１に対してフード１２が装着される際に、図７（ａ）〜図７（ｅ）に示すように、フード１２側に形成された係止部３１を、平坦部２１ａとＯリング２２との間の隙間に誘導するために設けられており、先細り形状を有している。具体的には、テーパ部２１ｂは、図７（ａ）等に示すように、周方向に対して、係止部３１が進入してくる方向に下方傾斜する傾斜面２１ｃを有している。
【００１９】
Ｏリング２２は、レンズ鏡筒１１の外周面に沿って配置されたリング状の弾性部材であって、図７（ａ）等に示すように、３つの爪部２１の平坦部２１ａの当接面２１ａａ側に所定の距離だけ離れた位置に配置されている。また、Ｏリング２２は、図７（ａ）〜図７（ｅ）に示すように、レンズ鏡筒１１に対してフード１２が装着される過程において、爪部２１との間の隙間にフード１２側の係止部３１が進入してくると、フード１２の端部１２ｂを光軸方向において押圧する。
【００２０】
すなわち、Ｏリング２２は、爪部２１との間の隙間にフード１２側の係止部３１が進入してくると、光軸方向においてつぶれるように弾性変形する。このとき、Ｏリング２２の弾性力は、図６に示す矢印方向に、フード１２の円筒状の端部１２ｂを全周において押圧する。
これにより、フード１２は、レンズ鏡筒１１に対して光軸方向において離間する方向に移動するため、フード１２側に設けられた係止部３１の当接面３１ａと、爪部２１の平坦部２１ａの当接面２１ａａとが互いに当接した状態で押圧される。この結果、レンズ鏡筒１１に対してフード１２を装着した状態では、Ｏリング２２の弾性力を利用して爪部２１の当接面２１ａａとフード１２の当接面３１ａとを押し付け合うことで、レンズ鏡筒１１に対してフード１２が回転しないように保持することができる。
【００２１】
（フード１２）
フード１２は、いわゆる円筒形レンズフードであって、レンズ鏡筒１１が装着されるカメラ本体内の光学系へ入射される不要光を抑制するために、図１（ａ）等に示すように、レンズ鏡筒１１の被写体側に装着される。また、フード１２は、例えば、合成樹脂を使って一体成形されており、図２（ａ）および図２（ｂ）等に示すように、後述するバヨネット接合部１３を介して、レンズ鏡筒１１に対して着脱可能に装着される。さらに、フード１２は、図３（ｃ）に示すように、円筒状の内周面１２ａから径方向内側に向かって突出する係止部３１を有している。
【００２２】
係止部３１は、図３（ｃ）に示すように、円筒状のフード１２の内周面１２ａに沿って、ほぼ等間隔で３箇所に設けられている。係止部３１は、図４（ｂ）に示すように、レンズ鏡筒１１に装着される側の端部１２ｂよりも若干内側（被写体側）に配置されている。
そして、係止部３１は、図５（ａ）に示すように、レンズ鏡筒１１に対してフード１２が装着された状態になると、図５（ｂ）に示すように、レンズ鏡筒１１側の爪部２１と係合する。
【００２３】
このとき、フード１２の端部１２ｂは上述したＯリング２２の弾性力によって押圧されているため、係止部３１の当接面３１ａは、図６に示すように、レンズ鏡筒１１側の爪部２１の平坦部２１ａの当接面２１ａａと当接した状態で押し付け合う状態となる。よって、係止部３１の当接面３１ａとレンズ鏡筒１１側の当接面２１ａａとの間には摩擦力が生じるため、レンズ鏡筒１１に対してフード１２を回転させにくく保持された状態にすることができる。
【００２４】
＜レンズ鏡筒１１に対するフード１２の装着＞
本実施形態のレンズユニット１０は、レンズ鏡筒１１に対してフード１２を装着する際には、図７（ａ）〜図７（ｅ）に示すように、バヨネット式の装着方法を利用している。
すなわち、レンズ鏡筒１１に対してフード１２を装着する際には、まず、図７（ａ）に示すように、光軸方向において、レンズ鏡筒１１の被写体側の端部に、フード１２の端部１２ｂ側を近づけていく。
【００２５】
次に、レンズ鏡筒１１の外周面１１ａの端部が円筒状のフード１２の端部１２ｂによって覆われる位置まで、フード１２を近づける。このとき、図７（ｂ）に示すように、
フード１２の内周面１２ａに設けられた３つの係止部３１が、レンズ鏡筒１１の外周面１１ａに設けられた３つの爪部２１の間を通過するように、レンズ鏡筒１１に対してフード１２を周方向において位置合わせする。
【００２６】
ここで、図７（ｂ）に示す状態では、光軸方向において、レンズ鏡筒１１側の爪部２１とフード１２側の係止部３１との位置が逆転しており、係止部３１がレンズ鏡筒１１の外周面１１ａにおける爪部２１とＯリング２２との間に位置している。
次に、レンズ鏡筒１１に対してフード１２を回転させていくと、図７（ｃ）に示すように、係止部３１の当接面３１ａ側が爪部２１のテーパ部２１ｂの傾斜面２１ｃ上に沿って周方向に移動する。
【００２７】
このとき、フード１２はＯリング２２によって光軸方向に押圧されているとともに、レンズ鏡筒１１の外周面１１ａにおける爪部２１とＯリング２２との間の隙間は、テーパ部２１ｂの傾斜面２１ｃによって徐々に狭くなる。このため、係止部３１と爪部２１のテーパ部２１ｂにおける摩擦力が徐々に大きくなる。
よって、レンズ鏡筒１１に対してフード１２を回転させるために必要となるトルクは、図７（ｆ）に示すように、フード１２の回転角度に略比例して上昇していく。
【００２８】
次に、レンズ鏡筒１１に対してフード１２をさらに回転させていくと、図７（ｄ）に示すように、係止部３１の当接面３１ａ側が爪部２１のテーパ部２１ｂの傾斜面２１ｃ上に沿ってさらに周方向に移動して、爪部２１の平坦部２１ａ付近まで移動する。
このとき、レンズ鏡筒１１に対してフード１２を回転させるために必要となるトルクは、図７（ｆ）に示すように、引き続き、フード１２の回転角度に略比例して上昇していく。
【００２９】
次に、レンズ鏡筒１１に対してフード１２をさらに回転させていくと、図７（ｅ）に示すように、係止部３１の当接面３１ａ側が爪部２１の平坦部２１ａに面接触した当接状態となる。
このとき、係止部３１は、レンズ鏡筒１１の外周面１１ａにおける爪部２１とＯリング２２との間に形成された隙間の最も狭い位置へ進入して行く。よって、Ｏリング２２から受ける弾性力は最大となる。
【００３０】
さらに、係止部３１の当接面３１ａ側が爪部２１の平坦部２１ａに当接した状態で周方向に回転するため、レンズ鏡筒１１に対してフード１２を回転させるために必要となるトルクは、図７（ｆ）に示すように、フード１２の回転角度が大きくなっても略一定のままとなる。
レンズ鏡筒１１に対してフード１２が完全に装着された状態では、図示しないストッパによって周方向における回転が規制されることで、図７（ｅ）に示す状態で保持される。
【００３１】
本実施形態のレンズユニット１０では、以上のように、レンズ鏡筒１１側に形成された爪部２１とＯリング２２との間に、フード１２側の係止部３１を挿入していくことで、Ｏリング２２の弾性力を利用してフード１２の装着を滑らかに行うことができる。さらに、従来のように周方向における回転を規制するための凹凸部分の嵌合を用いることなく簡素な構成によって、緩みを防止したレンズ鏡筒１１を得ることができる。
【００３２】
（実施形態２）
本開示の他の実施形態に係るレンズ鏡筒１１１およびこれを備えたレンズユニット１１０について、図８（ａ）〜図９を用いて説明すれば以下の通りである。
すなわち、本実施形態では、バヨネット接合時に相手部材を案内する傾斜面１３１ｃを有するテーパ部１３１ｂが、フード１１２側に形成された係止部１３１に設けられている点で、レンズ鏡筒１１側の爪部２１にテーパ部２１ｂが設けられた上記実施形態１とは異なっている。
【００３３】
具体的には、本実施形態のレンズユニット１１０は、図８（ａ）〜図８（ｃ）に示すように、フード（レンズアクセサリの一種）１１２が、レンズ鏡筒１１１に対してバヨネット接合によって装着されている。
すなわち、レンズユニット１１０は、カメラ本体側のレンズマウント（図示せず）に対して装着される交換可能なレンズ鏡筒１１１と、レンズ鏡筒１１１に対して着脱可能なフード１１２とを備えている。
【００３４】
レンズ鏡筒１１１は、図８（ｂ）および図８（ｃ）に示すように、レンズの光軸方向におけるフード１１２が装着される側（被写体側）の端部の外周面１１１ａに、複数の爪部１２１（図８（ｂ）参照）、Ｏリング（弾性部材）１２２が設けられている。
爪部１２１は、レンズ鏡筒１１１の外周面１１１ａから径方向外側に向けて突出するように形成された部分であって、図８（ａ）に示すように、周方向に沿ってほぼ等間隔で３箇所に設けられている。また、爪部１２１は、図８（ｂ）および図８（ｃ）に示すように、レンズ鏡筒１１１における被写体側の端部に設けられている。
【００３５】
また、爪部１２１は、フード１１２側に形成された係止部１３１（図８（ｂ）および図８（ｃ）参照）とともに、フード１１２をレンズ鏡筒１１１における被写体側の端部に装着されるバヨネット接合部１１３（図９参照）を構成する。
具体的には、フード１１２をレンズ鏡筒１１１に装着する際には、まず、周方向において互いに隣接配置された爪部１２１，１２１の間の隙間に、フード１１２側の係止部１３１が挿入される。そして、光軸方向において係止部１３１が爪部１２１，１２１の間を通過して行き過ぎた状態とし、フード１１２をレンズ鏡筒１１１に対して周方向に回転させることで、図９に示すように、爪部１２１と係止部１３１とが光軸方向において互いに当接する位置に配置される。
【００３６】
これにより、フード１１２側の係止部１３１が、図９に示すように、レンズ鏡筒１１１側の爪部１２１に係止されるため、フード１１２がレンズ鏡筒１１１から外れないように保持される。
さらに、爪部１２１は、図８（ｂ）および図８（ｃ）に示すように、フード１１２との装着側とは反対側に、フード１１２の係止部１３１と当接する当接面１２１ａを有している。
【００３７】
当接面１２１ａは、光軸方向に垂直な平面であって、レンズ鏡筒１１１に対してフード１１２が装着された状態では、フード１１２側の係止部１３１の当接面１３１ａａと当接する。
Ｏリング１２２は、レンズ鏡筒１１１の外周面に沿って配置されたリング状の弾性部材であって、図８（ｂ）および図８（ｃ）等に示すように、３つの爪部１２１の当接面１２１ａ側から所定の距離だけ離れた位置に配置されている。また、Ｏリング１２２は、レンズ鏡筒１１１に対してフード１１２が装着される過程において、爪部１２１との間の隙間にフード１１２側の係止部１３１が進入してくると、フード１１２の端部１１２ｂを光軸方向において押圧する。
【００３８】
すなわち、Ｏリング１２２は、爪部１２１との間の隙間にフード１１２側の係止部１３１が進入してくると、光軸方向においてつぶれるように弾性変形する。このとき、Ｏリング１２２の弾性力は、フード１１２の円筒状の端部１１２ｂを全周において押圧する。
これにより、フード１１２は、レンズ鏡筒１１１に対して光軸方向において離間する方向に移動するため、フード１１２側に設けられた係止部１３１の当接面１３１ａａと、爪部１２１の当接面１２１ａとが互いに当接した状態で押圧される。この結果、レンズ鏡筒１１１に対してフード１１２を装着した状態では、Ｏリング１２２の弾性力を利用して爪部１２１の当接面１２１ａとフード１１２の当接面１３１ａａとを押し付け合うことで、レンズ鏡筒１１１に対してフード１１２が回転しないように保持することができる。
【００３９】
フード１１２は、図８（ａ）から図８（ｃ）に示すように、内周面１１２ａから径方向内側に向けて突出する３つの係止部１３１を有している。
係止部１３１は、図８（ａ）に示すように、円筒状のフード１１２の内周面１１２ａに沿って、ほぼ等間隔で３箇所に設けられている。係止部１３１は、図８（ｂ）等に示すように、レンズ鏡筒１１１に装着される側の端部１１２ｂよりも若干内側（被写体側）に配置されている。
【００４０】
そして、係止部１３１は、図９に示すように、レンズ鏡筒１１１に対してフード１１２が装着された状態になると、レンズ鏡筒１１１側の爪部１２１と係合する。
また、係止部１３１は、図８（ｃ）等に示すように、円筒状のレンズ鏡筒１１１の径方向から見て略台形形状を有しており、平坦部１３１ａと、テーパ部１３１ｂとを有している。
【００４１】
平坦部１３１ａは、レンズ鏡筒１１１における被写体側とは反対側に、光軸方向に垂直な平面（当接面１３１ａａ）を有している。レンズ鏡筒１１１に対してフード１１２が装着された状態では、当接面１３１ａａにおいて、フード１１２側の係止部１３１の当接面１３１ａａと当接する。
テーパ部１３１ｂは、レンズ鏡筒１１１に対してフード１１２が装着される際に、係止部１３１自身を、爪部１２１とＯリング１２２との間の隙間に誘導するために設けられており、先細り形状を有している。また、テーパ部１３１ｂは、爪部１２１と当接する側の面に、周方向において傾斜した傾斜面１３１ｃを有している。
【００４２】
このとき、フード１１２の端部１１２ｂは上述したＯリング１２２の弾性力によって押圧されているため、係止部１３１の当接面１３１ａａは、レンズ鏡筒１１１側の爪部１２１の当接面１２１ａと当接した状態で押し付け合う状態となる。よって、係止部１３１の当接面１３１ａａとレンズ鏡筒１１１側の当接面１２１ａとの間には摩擦力が生じるため、レンズ鏡筒１１１に対してフード１１２を回転させにくく保持された状態にすることができる。
【００４３】
本実施形態のレンズユニット１１０では、以上のように、レンズ鏡筒１１１側に形成された爪部１２１とＯリング１２２との間に、フード１１２側の係止部１３１を挿入していくことで、Ｏリング１２２の弾性力を利用してフード１１２の装着を滑らかに行うことができる。さらに、従来のように周方向における回転を規制するための凹凸部分の嵌合を用いることなく簡素な構成によって、緩みを防止したレンズ鏡筒１１１を得ることができる。
【００４４】
（実施形態３）
本開示のさらに他の実施形態に係るレンズ鏡筒２１１およびこれを備えたレンズユニット２１０について、図１０〜図１２を用いて説明すれば以下の通りである。
すなわち、本実施形態では、弾性部材として設けられたゴム（弾性部材）２２２が、レンズ鏡筒２１１の外周面における爪部２２１と対向する３箇所の位置に部分的に設けられている点で、Ｏリング２２，１２２等の弾性部材がレンズ鏡筒１１，１１１の外周面全周に亘って設けられた上記実施形態１，２とは異なっている。
【００４５】
具体的には、本実施形態のレンズユニット２１０では、弾性部材として用いられているゴム２２２が、図１０に示すように、レンズ鏡筒２１１の被写体側を構成する第１・第２部材２１１ａ，２１１ｂの間に挟まれるようにして、光軸方向において爪部２２１と対向する位置に保持されている（図１１（ｂ）および図１１（ｃ）等参照）。
すなわち、第１・第２部材２１１ａ，２１１ｂは、ともに円環状の部材であって、第１部材２１１ａが第２部材２１１ｂの内周面側に挿入された状態で、小ネジ３本を用いて接合される。
【００４６】
このとき、レンズ鏡筒２１１の外周面における３箇所に設けられたゴム２２２は、第１・第２部材２１１ａ，２１１ｂの接合によって、爪部２２１に対向する所定の位置へ保持される。
また、レンズ鏡筒２１１の第１部材２１１ａの外周面には、図１０に示すように、円周方向においてほぼ等間隔に３つの爪部２２１が設けられている。
【００４７】
爪部２２１は、第１部材２１１ａの外周面から径方向外側に向かって突出するように形成されており、上記実施形態１の爪部２１と同様に、平坦部２２１ａ、テーパ部２２１ｂを有している。
なお、平坦部２２１ａおよびテーパ部２２１ｂ（傾斜面２２１ｃを含む）については、上記実施形態１の平坦部２１ａおよびテーパ部２１ｂと同様の構成を有していることから、ここでは詳しい説明は省略する。
【００４８】
一方、フード２１２は、図１１（ａ）に示すように、内周面２１２ａにおける周方向に沿ってほぼ等間隔に設けられた３つの係止部２３１を有している。
係止部２３１は、フード２１２の内周面２１２ａから径方向内側に向かって突出するように形成されている。
なお、係止部２３１についても、上記実施形態１の係止部３１と同様の構成を有していることから、ここでは詳しい説明を省略する。
【００４９】
本実施形態のレンズユニット２１０は、レンズ鏡筒２１１に対してフード２１２を装着した状態では、図１２に示すように、レンズ鏡筒１１１側に形成された爪部２２１とゴム２２２との間に、フード２１２側の係止部２３１を挿入していくと、ゴム２２２の弾性力によって、爪部２２１の平坦部２２１ａの当接面２２１ａａと係止部２３１の当接面２３１ａとが互いに押し付け合った状態となる。
【００５０】
これにより、ゴム２２２の弾性力を利用してフード２１２の装着を滑らかに行うことができる。さらに、従来のように周方向における回転を規制するための凹凸部分の嵌合を用いることなく簡素な構成によって、緩みを防止したレンズ鏡筒２１１を得ることができる。
すなわち、弾性部材として、レンズ鏡筒２１１の外周全体にわたって設けられるＯリング２２，１２２の代わりに、周方向において分断された複数のゴム２２２を設けた場合でも、上記実施形態１，２と同様の効果を得ることができる。
【００５１】
［他の実施形態］
以上、本開示の一実施形態について説明したが、本開示は上記実施形態に限定されるものではなく、開示の要旨を逸脱しない範囲で種々の変更が可能である。
【００５２】
（Ａ）
上記実施形態では、Ｏリング２２，１２２やゴム２２２等の弾性部材がレンズ鏡筒１１，１１１，２１１側に設けられた構成を例として挙げて説明した。しかし、本開示はこれに限定されるものではない。
例えば、弾性部材をフード等のレンズアクセサリ側に設けた構成であってもよい。
【００５３】
（Ｂ）
上記実施形態では、Ｏリング２２，１２２やゴム２２２等の弾性部材が、フード１２，１１２，２１２側の端部を押圧することで、間接的に、係止部３１，１３１，２３１を押圧する例を挙げて説明した。しかし、本開示はこれに限定されるものではない。
例えば、レンズ鏡筒にレンズアクセサリを装着した状態で、弾性部材と係止部とが隣接配置されるような構成を採用することで、弾性部材が直接的に係止部を押圧してもよい。
【００５４】
（Ｃ）
上記実施形態では、レンズ鏡筒１１，１１１，２１１側に設けられた爪部２１，１２１，２２１と、フード１２，１１２，２１２側に設けられた係止部３１，１３１，２３１とがそれぞれ周方向においてほぼ均等な位置に３箇所ずつ設けられた例を挙げて説明した。しかし、本発明はこれに限定されるものではない。
例えば、互いに係止される関係にあるレンズ鏡筒側の爪部とフード側の係止部とは、２箇所設けられた構成であってもよいし、４箇所以上設けられた構成であってもよい。
この場合には、光軸方向における爪部の対向する位置に、Ｏリングやゴム等の弾性部材が設けられていればよい。
【００５５】
（Ｄ）
上記実施形態では、レンズ鏡筒１１に装着されるレンズアクセサリとして、レンズ鏡筒１１への不要光の進入を防止するためのフード１２を例として挙げて説明した。しかし、本開示はこれに限定されるものではない。
例えば、レンズ鏡筒に装着されるアクセサリとしては、フード以外にも、キャップ、リング等であってもよい。
【産業上の利用可能性】
【００５６】
本開示のレンズ鏡筒は、装着後における緩みの発生を防止するとともに、滑らかな装着が可能となるという効果を奏することから、レンズ鏡筒に対して装着される各種アクセサリとの装着機構に対して広く適用可能である。
【符号の説明】
【００５７】
１０      レンズユニット
１１      レンズ鏡筒
１１ａ    外周面
１２      フード（レンズアクセサリ）
１２ａ    内周面
１２ｂ    端部
１３      バヨネット接合部
２１      爪部
２１ａ    平坦部
２１ａａ  当接面
２１ｂ    テーパ部
２１ｃ    傾斜面
２２      Ｏリング（弾性部材）
３１      係止部
３１ａ    当接面
１１０      レンズユニット
１１１      レンズ鏡筒
１１１ａ    外周面
１１２      フード（レンズアクセサリ）
１１２ａ    内周面
１１２ｂ    端部
１１３      バヨネット接合部
１２１      爪部
１２１ａ    当接面
１２２      Ｏリング（弾性部材）
１３１      係止部
１３１ａ    平坦部
１３１ａａ  当接面
１３１ｂ    テーパ部
１３１ｃ    傾斜面
２１０      レンズユニット
２１１      レンズ鏡筒
２１１ａ    第１部材
２１１ｂ    第２部材
２１２      フード（レンズアクセサリ）
２１２ａ  内周面
２１２ｂ    端部
２２１      爪部
２２１ａ    平坦部
２２１ａａ  当接面
２２１ｂ    テーパ部
２２１ｃ    傾斜面
２２２      ゴム（弾性部材）
２３１      係止部
２３１ａ    当接面                                                                  
【図１】
2017078726.tif 000003
【図２】
2017078726.tif 000004
【図３】
2017078726.tif 000005
【図４】
2017078726.tif 000006
【図５】
2017078726.tif 000007
【図６】
2017078726.tif 000008
【図７】
2017078726.tif 000009
【図８】
2017078726.tif 000010
【図９】
2017078726.tif 000011
【図１０】
2017078726.tif 000012
【図１１】
2017078726.tif 000013
【図１２】
2017078726.tif 000014